(57)【要約】【課題】相手側挿込接続端子の挿入に対し、可動接触片の安定したばね特性を維持する。【解決手段】可動接触片１７を天板１６間に対して折り返す基部１７ａに、後方に突出する舌片２０を設け、ハウジングの係止ランスが舌片２０に当接するようにする。相手側の挿込接続端子の挿入端が接続部１１内に挿入されて嵌合する際に、挿入端から可動接触片１７に作用する後方への押圧力が加わっても、係止ランスによる可動接触片１７のばね特性に影響を与えることがなく、相手側の挿入端に対して一定した押圧力が作用し、円滑な挿入操作が可能となる。【選択図】図１
2007280825.tif 000002
【特許請求の範囲】
【請求項１】
導電金属板を打ち抜き・折曲して形成し、前方に相手側挿込接続端子を受け入れる接続部を設け、後方に電線を接続するための電線圧着部を設け、前記接続部は、底板、その左右両側に連設する側板、一方の該側板に連設する天板とによって囲まれた角筒型に形成し、前記天板の後端から条片状の可動接触片を後方に延在し、該可動接触片を前記天板との境界を基部として天板に平行に前記接続部の内側に折り返し、前記基部の中央部にコ字状の切込みを形成し、該切込みにより後方に舌片を突出し、ハウジング内に固定する際に該舌片に前記ハウジングの端子固定用係止片を係止することを特徴とする電気接続端子。
【請求項２】
前記可動接触片は前記舌片の両側の前記天板との間の境界部の２つの条片を介して前方に折り返したことを特徴とする請求項１に記載の電気接続端子。
【請求項３】
前記可動接触片の先端は前記天板の先端から折り返した辺部により係止したことを特徴とする請求項１又は２に記載の電気接続端子。
【発明の詳細な説明】
【技術分野】
【０００１】
本発明は、相手側の挿込接続端子と電気的に接続する受け用の電気接続端子に関するものである。
【背景技術】
【０００２】
従来からこの種の受け用接続端子は、前方に相手側の挿込接続端子を受け入れる接続部と、後方に電線を接続する電線圧着部とを有し、これらは１枚の導電金属板を折り曲げて形成されている。
【０００３】
図４は特許文献１において示される従来例の接続端子の縦断面図であって、１は接続端子の接続部、２は電線圧着部である。接続部１は内方に膨出する接触部３ａを有する底板３、その左右両側に連なる側板４、５（５は図示せず）、一方の側板４に連設した天板６とによって囲まれた角筒型の形状とされ、接続部１の内部には天板６の後方に延在する可動接触片７が前方に折り返されている。
【０００４】
この可動接触片７は天板６に連設する基部７ａと自由端部７ｂとの中間部の頂点を接点部７ｃとする逆山形に形成されており、自由端部７ｂは天板６の内面に摺動自在に接触し、接点部７ｃと底板３の接触部３ａとの間に相手側の挿込接続端子の平刃状接続部が挿入されるようになっている。この接続端子１をコネクタハウジング内に係止するには、ハウジングに設けた係止ランスを基部７ａに当接して行う。
【０００５】
【特許文献１】特開２００３−３３１９６２号公報
【発明の開示】
【発明が解決しようとする課題】
【０００６】
しかし上述の従来例において、係止ランスが当接する基部７ａは可動接触片７を支えている個所であって、この基部７ａに係止ランスを突き当てて接続端子を固定しているために、接続端子に相手側接続端子からの押圧力が加わると、可動接触片７のばね特性に影響が生ずることになる。
【０００７】
本発明の目的は、上述の従来例の問題点を解消し、係止ランスとの当接具合によって可動接触片のばね特性に影響が生じない電気接続端子を提供することにある。
【課題を解決するための手段】
【０００８】
上述の目的を達成するための本発明に係る電気接続端子の技術的特徴は、導電金属板を打ち抜き・折曲して形成し、前方に相手側挿込接続端子を受け入れる接続部を設け、後方に電線を接続するための電線圧着部を設け、前記接続部は、底板、その左右両側に連設する側板、一方の該側板に連設する天板とによって囲まれた角筒型に形成し、前記天板の後端から条片状の可動接触片を後方に延在し、該可動接触片を前記天板との境界を基部として天板に平行に前記接続部の内側に折り返し、前記基部の中央部にコ字状の切込みを形成し、該切込みにより後方に舌片を突出し、ハウジング内に固定する際に該舌片に前記ハウジングの端子固定用係止片を係止することにある。
【発明の効果】
【０００９】
本発明に係る電気接続端子によれば、係止ランスに当接するための専用の舌片を設けているので、係止ランスの当接状態によって可動接触片のばね特性に影響が生ずることはない。
【発明を実施するための最良の形態】
【００１０】
本発明を図１〜図３に図示の実施の形態に基づいて詳細に説明する。
図１は接続端子の斜視図、図２は導電金属板を打ち抜いた状態の展開図、図３は縦断面図であり、図１、図２には接続端子成型時に使用する連結片が取り付けられている状態を示している。接続端子は相手側挿込接続端子を受け入れる接続部１１及び後方の電線と接続する電線圧着部１２を含む全ての部分が、１枚の導電金属板を打ち抜き、更に折曲して組立られている。
【００１１】
接続部１１は底板１３、その左右両側に連設した側板１４、１５、及び一方の側板１４に連設した天板１６とを、図２の長手方向の１点鎖線で示すように折曲して、これらによって図１に示すように角筒型に形成されている。
【００１２】
底板１３には、内方に膨出する２条の接触部１３ａ、１３ｂが設けられている。また、天板１６の前端には辺部１６ａが設けられ、中央部に２条のスリット１６ｂ、１６ｃによる凹部１６ｄが形成され、後方には条片状の可動接触片１７が斜め方向に延在されている。この可動接触片１７は天板１６との境界を基部１７ａとして、天板１６と平行に接続部１１の内側に緩やかな弯曲部を介して折り返され、先端の自由端部１７ｂは天板１６の先端近傍まで達している。接続部１１内の中央部において下方に膨らむ頂点を接点部１７ｃとする逆山形状にされて、弾発性を有する板ばね状に形成されている。また、可動接触片１７の中央には両側に張り出した翼部１７ｄ、１７ｅが形成されている。
【００１３】
天板１６と可動接触片１７との境界には、略コ字状の切込み１８が設けられ、この切込み１８により後方に向けて舌片２０が突出されている。また、両側板１４、１５にはそれぞれ窓部１４ａ、１５ａが形成され、更に側板１５にはスタビライザ片１９が連接されている。
【００１４】
この接続端子はフォーミングプレスによる多数の工程を経て、打ち抜き、折曲がなされて形成され、予め接点部１７ｃが形成されている可動接触片１７を前方に大きく折り返えす過程で、天板１６との境界に設けられたコ字状の切込み１８により、舌片２０がそのまま後方に向けて残置される。なお、可動接触片１７が斜め方向に折り返されても、舌片２０の先端部は接続端子の長手方向に対して、直交するようにされている。また、折り返された可動接触片１７の自由端部１７ｂは、天板１６の前端に設けた辺部１６ａを折り返すことにより係止される。
【００１５】
側板１４、１５を立ち上げ天板１６を重ねる過程で、両側板１４、１５に設けた窓部１４ａ、１５ａに可動当接片１７の翼部１７ｄ、１７ｅをそれぞれ挿入する。また、側板１５から立ち上げたスタビライザ片１９は途中で折り返され、端部が天板１６上に突き当てられ、天板１６の持ち上がりが規制されている。なお、このスタビライザ片１９はハウジングへの接続端子の挿入過程で、接続端子を上下逆方向に挿入しないようにすると共に、挿入後の姿勢安定の役割を果たしている。
【００１６】
この接続端子は合成樹脂製のハウジング内において、可動接触片１７の基部１７ａの位置に設けた舌片２０の先端に、ハウジングに形成した係止ランスを当接することによりハウジングに固定され、接続端子のハウジングに対する後方への抜け出しが防止される。
【００１７】
相手側の挿込接続端子の平刃状挿入端の接続部１１内への挿入が完了した状態では、挿入端は緩やかな弯曲部を有する可動接触片１７の板ばね状の接点部１７ｃと底板１３の接触部１３ａ、１３ｂとの間に挟持され、確実な電気的接続が得られる。このとき、可動接触片１７は天板１６に設けた凹部１６ｄにより過度の変形が規制される。
【００１８】
特に、ハウジングの係止ランスは従来例のような基部１７ａではなく、舌片２０の先端に当接する。従って、相手側の挿込接続端子の挿入端が可動接触片１７の接点部１７ｃと底板１３の２つの接触部１３ａ、１３ｂの間に挿入されて嵌合する際に、挿入端が当接する可動接触片１７の逆山形の斜面との間の摩擦力により、可動接触片１７に作用する後方への押圧力が加わっても、係止ランスによる可動接触片１７のばね特性に影響が与えられることがなく、挿入端に対しては一定した押圧力が作用し、円滑な挿入操作が可能となる。
【００１９】
また、同一のハウジング内に多数の接続端子を収容した多極コネクタの場合には、挿込接続端子の挿入端が受ける可動接触片１７の抵抗力によるばらつきが少なくなることによって、操作性に対する改善効果は大きい。
【００２０】
なお実施例においては、可動接触片１７を天板１６に対し斜め方向に配置しているために、基部１７ａにおける折り返しが一点鎖線で示す斜め方向となっているが、可動接触片１７を天板１６の正しく後方に配置できれば、折り返し部が斜め方向となることはない。
【図面の簡単な説明】
【００２１】
【図１】接続端子の斜視図である。
【図２】導電金属板を打ち抜いた状態の展開図である。
【図３】接続端子の縦断面図である。
【図４】従来例の接続端子の縦断面図である。
【符号の説明】
【００２２】
１１  接続部
１２  電線圧着部
１３  底板
１４、１５  側板
１６  天板
１７  可動接触片
１７ａ  基部
１７ｂ  自由端部
１７ｃ  接点部
１７ｄ、１７ｅ  翼部
１８  切込み
１９  スタビライザ片
２０  舌片
【図１】
2007280825.tif 000003
【図２】
2007280825.tif 000004
【図３】
2007280825.tif 000005
【図４】
2007280825.tif 000006